【手続補正書】
【提出日】平成15年10月29日(2003.10.29)
【手続補正１】
【補正対象書類名】明細書
【補正対象項目名】特許請求の範囲
【補正方法】変更
【補正の内容】
【特許請求の範囲】
【請求項１】
オーディオ，画像及び複数のフレームを含む動画のうちの少なくとも１つを伴うオーディオビジュアルシステムを使用するオーディオビジュアルシステムの使用方法であって、
（ａ）（ｉ）前記複数のフレーム間の相互関係，前記複数のフレームのコンテンツの特徴，前記オーディオのコンテンツの特徴，前記画像のコンテンツの特徴，前記動画のコンテンツの特徴に関する情報のうちの少なくとも１つに関連する情報を含むプログラム記述スキームと、
（ｉｉ）ユーザの個人的な好み，前記ユーザに関する情報，ユーザの視聴履歴のうちの少なくとも１つに関する情報を含むユーザ記述スキームと、
（ｉｉｉ）利用可能な動画，利用可能なカテゴリ，利用可能なチャネル，利用可能なユーザ，利用可能な画像，前記オーディオと前記画像と前記動画のうちの前記少なくとも１つをユーザに提供するためのデバイスのケーパビリティ，前記動画と前記プログラム記述スキームと前記ユーザ記述スキームのうちの少なくとも２つの間の関係，前記オーディオと前記プログラム記述スキームと前記ユーザ記述スキームのうちの少なくとも２つの間の関係，前記画像と前記プログラム記述スキームと前記ユーザ記述スキームのうちの少なくとも２つの間の関係のうちの少なくとも１つに関する情報を含むシステム記述スキームとのうちの少なくとも１つを提供するステップと、
（ｂ）前記プログラム記述スキーム，前記ユーザ記述スキーム及び前記システム記述スキームのうちの前記少なくとも１つに基づいて、動画，画像及びオーディオのコンテンツの中から、少なくとも１コンテンツ、或いはあるコンテンツ中のシーン又はフレームを選択するステップとを有することを特徴とするオーディオビジュアルシステムの使用方法。
【請求項２】
オーディオ，画像及び複数のフレームを含む動画のうちの少なくとも１つを伴うオーディオビジュアルシステムを使用するオーディオビジュアルシステムの使用方法であって、
（ａ）（ｉ）前記複数のフレーム間の相互関係，前記複数のフレームのコンテンツの特徴，前記オーディオのコンテンツの特徴，前記画像のコンテンツの特徴，前記動画のコンテンツの特徴に関する情報のうちの少なくとも１つに関連する情報を含むプログラム記述スキームと、
（ｉｉ）ユーザの個人的な好み，前記ユーザに関する情報，ユーザの視聴履歴のうちの少なくとも１つに関する情報を含むユーザ記述スキームと、
（ｉｉｉ）利用可能な動画，利用可能なカテゴリ，利用可能なチャネル，利用可能なユーザ，利用可能な画像，前記オーディオと前記画像と前記動画のうちの前記少なくとも１つをユーザに提供するためのデバイスのケーパビリティ，前記動画と前記プログラム記述スキームと前記ユーザ記述スキームのうちの少なくとも２つの間の関係，前記オーディオと前記プログラム記述スキームと前記ユーザ記述スキームのうちの少なくとも２つの間の関係，前記画像と前記プログラム記述スキームと前記ユーザ記述スキームのうちの少なくとも２つの間の関係のうちの少なくとも１つに関する情報を含むシステム記述スキームとのうちの少なくとも２つを提供するステップと、
（ｂ）前記プログラム記述スキーム，前記ユーザ記述スキーム及び前記システム記述スキームのうちの前記少なくとも２つに基づいて、動画，画像及びオーディオのコンテンツの中から、少なくとも１コンテンツ、或いはあるコンテンツ中のシーン又はフレームを選択するステップとを有することを特徴とするオーディオビジュアルシステムの使用方法。
【請求項３】
前記プログラム記述スキームは、前記複数のフレームに関連したタイトル、カテゴリ、注釈、キーワード及び日付のうちの少なくとも１つを含むことを特徴とする請求項１又は２に記載のオーディオビジュアルシステムの使用方法。
【請求項４】
前記プログラム記述スキームは、ビューを記録するためのフィールドを含み、（１）前記複数のフレームの間の相互関係に関する情報は前記動画のキーフレームの識別情報を含み、（２）前記複数のフレーム間の相互関係に関する情報は前記動画の少なくとも一部のハイライトを示す複数の前記フレームの識別情報を含み、（３）前記複数のフレームの間の相互関係に関する情報は１セットのフレームの識別情報を含み、各々フレームが前記動画の異なる部分を示し、（４）前記複数のフレームの間の相互関係に関する情報はショット及びシーンのうちの少なくとも１つを示す前記動画の複数のシーケンシャルフレームの識別情報を含むことを特徴とする請求項１又は２に記載のオーディオビジュアルシステムの使用方法。
【請求項５】
前記プログラム記述スキームは、前記動画の少なくとも一部のカラープロフィル，前記動画の少なくとも一部のテクスチャプロフィル，前記動画の少なくとも一部の形状プロフィル及び前記動画の少なくとも一部の動きプロフィルのうちの少なくとも１つを記録するためのフィールドを含むことを特徴とする請求項１又は２に記載のオーディオビジュアルシステムの使用方法。
【請求項６】
前記プログラム記述スキームは、前記動画の通常のオーディオトラックとは別個の第２のオーディオトラックの識別番号を含むことを特徴とする請求項１又は２に記載のオーディオビジュアルシステムの使用方法。
【請求項７】
前記プログラム記述スキームは、前記動画に関連するインターネットに基づく情報を識別して保持することを特徴とする請求項１又は２に記載のオーディオビジュアルシステムの使用方法。
【請求項８】
前記プログラム記述スキームは前記動画の複数のフレームのシンタックス構造を含むことを特徴とする請求項１又は２に記載のオーディオビジュアルシステムの使用方法。
【請求項９】
前記プログラム記述スキームは前記動画の複数の前記フレームに関するセマンティック構造を含むことを特徴とする請求項１又は２に記載のオーディオビジュアルシステムの使用方法。
【請求項１０】
動画のコンテンツ自体から前記プログラム記述スキームのための情報を抽出することを特徴とする請求項１又は２に記載のオーディオビジュアルシステムの使用方法。
【請求項１１】
前記プログラム記述スキームの前記情報に基づいて、ユーザが決定した時間の前記動画の要約を発生するステップを更に含むことを特徴とする請求項１又は２に記載のオーディオビジュアルシステムの使用方法。
【請求項１２】
（ａ）前記動画のコンテンツに基づいて、前記動画の要約及びキーフレーム情報の少なくとも１つを発生するステップと、
（ｂ）前記プログラム記述スキームに、前記要約及びキーフレーム情報のうちの前記少なくとも１つを含めるステップとを更に含むことを特徴とする請求項１又は２に記載のオーディオビジュアルシステムの使用方法。
【請求項１３】
前記ユーザ記述スキームは前記ユーザの視聴履歴に関連する情報を含むことを特徴とする請求項１又は２に記載のオーディオビジュアルシステムの使用方法。
【請求項１４】
前記ユーザに関する前記情報は地理的情報及び人口統計的情報のうちの少なくとも１つを含むことを特徴とする請求項１又は２に記載のオーディオビジュアルシステムの使用方法。
【請求項１５】
前記ユーザ記述スキームはユーザの個人的な好みを含むことを特徴とする請求項１又は２に記載のオーディオビジュアルシステムの使用方法。
【請求項１６】
前記ユーザ記述スキームはハンドヘルドの電子デバイス内に含まれることを特徴とする請求項１又は２に記載のオーディオビジュアルシステムの使用方法。
【請求項１７】
前記ユーザ記述スキームは、ラジオ放送のための予め選択した周波数及び予め選択した局のうちの、少なくとも１つを含むことを特徴とする請求項１又は２に記載のオーディオビジュアルシステムの使用方法。
【請求項１８】
前記システム記述スキームは、前記オーディオ，画像及び動画のうちの前記少なくとも１つを前記ユーザに提供するための前記デバイスのケーパビリティを含むことを特徴とする請求項１又は２に記載のオーディオビジュアルシステムの使用方法。
【請求項１９】
放送テレビ，ケーブルテレビ，衛星テレビ，ディジタルテレビ，インターネット放送，ワールドワイドウェブ，ディジタル動画ディスク，静止画像，ビデオカメラ，レーザーディスク，磁気媒体，コンピュータのハードドライブ，動画テープ，データサービス及びマイクロウェーブ通信のうちの少なくとも１つから前記動画を受信することを特徴とする請求項１又は２に記載のオーディオビジュアルシステムの使用方法。
【請求項２０】
ディジタルテレビ放送におけるＰＳＩＰ／ＤＶＢ−ＳＩ情報，特殊なディジタルテレビデータサービス，特殊なインターネットサービス，データファイル，電話回線を通したデータ及びコンピュータメモリのうちの少なくとも１つから前記プログラム記述スキームを受信することを特徴とする請求項１又は２に記載のオーディオビジュアルシステムの使用方法。
【請求項２１】
前記動画の受信に応答し、前記ユーザ記述スキーム内の情報と共に、前記動画のコンテンツの解析を実行するかを決定するステップを更に含むことを特徴とする請求項１又は２に記載のオーディオビジュアルシステムの使用方法。
【請求項２２】
（ａ）システム記述スキーム及びプログラム記述スキームのうちの少なくとも１つに含まれる情報を抽出するステップと、
（ｂ）該抽出に基づいて、前記ユーザ記述スキームに含まれる前記情報を変更するステップとを更に含むことを特徴とする請求項１又は２に記載のオーディオビジュアルシステムの使用方法。
【請求項２３】
（ａ）第１のポータブルデバイスに前記ユーザ記述スキームを記録するステップと、
（ｂ）前記ポータブルデバイスと各々が前記ユーザ記述スキーム内に含まれる情報を使用する複数の異なる第２デバイスとを相互接続するステップとを更に含むことを特徴とする請求項１又は２に記載のオーディオビジュアルシステムの使用方法。
【請求項２４】
前記プログラム記述スキームは、カメラに含まれ、前記オーディオビジュアルシステムは、前記ユーザ記述スキームの前記情報及び前記システム記述スキームの前記情報に少なくとも一部に基づいて、前記カメラに含まれる前記情報を変更することを特徴とする請求項１又は２に記載のオーディオビジュアルシステムの使用方法。
【請求項２５】
前記オーディオビジュアルシステムは、前記プログラム記述スキームの前記情報及び前記ユーザ記述スキームの前記情報に少なくとも一部に基づいて、動画を識別するためのサーチデバイスを更に備えることを特徴とする請求項１又は２に記載のオーディオビジュアルシステムの使用方法。
【請求項２６】
前記オーディオビジュアルシステムは、前記プログラム記述スキーム内に含まれる前記情報及び前記ユーザ記述スキーム内に含まれる前記情報に基づいて前記ユーザに好ましい動画放送を記録する記録装置を更に備えることを特徴とする請求項１又は２に記載のオーディオビジュアルシステムの使用方法。
【請求項２７】
（ａ）第１デバイスに前記ユーザ記述スキーム、前記システム記述スキーム及び前記プログラム記述スキームのうち、少なくとも１つの前記スキームを記録するステップと、
（ｂ）ネットワークを通して前記ユーザ記述スキーム、前記システム記述スキーム及び前記プログラム記述スキームのうち、少なくとも１つの前記スキームを第２デバイスへ転送することをさらに含むことを特徴とする請求項１又は２に記載のオーディオビジュアルシステムの使用方法。
【請求項２８】
（ａ）ネットワークにわたって前記システム記述スキームをオーディオ，画像及び動画データのうちの少なくとも１つのプロバイダに提供するステップと、
（ｂ）前記システム記述スキームの受信に応答し、前記プロバイダが該システム記述スキームに従ってオーディオ，画像及び動画データのうちの前記少なくとも１つを選択するステップと、
（ｃ）前記オーディオ，画像及び動画データのうちの前記少なくとも１つをユーザのためのデバイスに提供するステップとを更に含むことを特徴とする請求項１又は２に記載のオーディオビジュアルシステムの使用方法。
【請求項２９】
オーディオ，画像及び複数のフレームを含む動画のうちの少なくとも１つを伴うオーディオビジュアルシステムを使用するオーディオビジュアル装置であって、
（ｉ）前記複数のフレーム間の相互関係，前記複数のフレームのコンテンツの特徴，前記オーディオのコンテンツの特徴，前記画像のコンテンツの特徴，前記動画のコンテンツの特徴に関する情報のうちの少なくとも１つに関連する情報を含むプログラム記述スキームと、（ｉｉ）ユーザの個人的な好み，前記ユーザに関する情報，ユーザの視聴履歴のうちの少なくとも１つに関する情報を含むユーザ記述スキームと、（ｉｉｉ）利用可能な動画，利用可能なカテゴリ，利用可能なチャネル，利用可能なユーザ，利用可能な画像，前記オーディオと前記画像と前記動画のうちの前記少なくとも１つをユーザに提供するためのデバイスのケーパビリティ，前記動画と前記プログラム記述スキームと前記ユーザ記述スキームのうちの少なくとも２つの間の関係，前記オーディオと前記プログラム記述スキームと前記ユーザ記述スキームのうちの少なくとも２つの間の関係，前記画像と前記プログラム記述スキームと前記ユーザ記述スキームのうちの少なくとも２つの間の関係のうちの少なくとも１つに関する情報を含むシステム記述スキームと、のうち、少なくとも一つを記憶するスキーム記憶手段と、
該スキーム記憶手段によって記憶されている前記プログラム記述スキーム，前記ユーザ記述スキーム，前記システム記述スキームのうちの少なくとも１つに基づいて、動画，画像及びオーディオのコンテンツの中から、少なくとも１コンテンツ、或いはあるコンテンツ中のシーン又はフレームを選択する選択手段と、
を備えたことを特徴とするオーディオビジュアル装置。
【請求項３０】
動画のコンテンツ自体から前記プログラム記述スキームのための情報を抽出する手段を備えたことを特徴とする請求項２９に記載のオーディオビジュアル装置。
【請求項３１】
前記プログラム記述スキームの前記情報に基づいて、ユーザが決定した時間の前記動画の要約を発生する動画要約手段をさらに備えたことを特徴とする請求項２９又は３０に記載のオーディオビジュアル装置。
【請求項３２】
前記動画のコンテンツに基づいて、前記動画の要約及びキーフレーム情報の少なくとも１つを発生する手段と、
前記プログラム記述スキームに、前記要約及びキーフレーム情報のうちの前記少なくとも１つを含め保持する手段と、
をさらに備えたことを特徴とする請求項２９乃至３１のいずれか１項に記載のオーディオビジュアル装置。
【請求項３３】
放送テレビ，ケーブルテレビ，衛星テレビ，ディジタルテレビ，インターネット放送，ワールドワイドウェブ，ディジタル動画ディスク，静止画像，ビデオカメラ，レーザーディスク，磁気媒体，コンピュータのハードドライブ，動画テープ，データサービス及びマイクロウェーブ通信のうちの少なくとも１つから前記動画を受信する手段をさらに備えたことを特徴とする請求項２９乃至３２のいずれか１項に記載のオーディオビジュアル装置。
【請求項３４】
ディジタルテレビ放送におけるＰＳＩＰ／ＤＶＢ―ＳＩ情報，特殊なディジタルテレビデータサービス，特殊なインターネットサービス，データファイル，電話回線を通したデータ及びコンピュータメモリのうちの少なくとも１つから前記プログラム記述スキームを受信する手段をさらに備えたことを特徴とする請求項２９乃至３３のいずれか１項に記載のオーディオビジュアル装置。
【請求項３５】
前記動画の受信に応答し、前記ユーザ記述スキーム内の情報と共に、前記動画のコンテンツの解析を実行するか否かを決定する手段をさらに備えたことを特徴とする請求項３３に記載のオーディオビジュアル装置。
【請求項３６】
前記システム記述スキーム及びプログラム記述スキームのうちの少なくとも１つに含まれる情報を抽出する手段と、
該抽出に基づいて、前記ユーザ記述スキームに含まれる前記情報を変更する手段と、
をさらに備えたことを特徴とする請求項２９乃至３５のいずれか１項に記載のオーディオビジュアル装置。
【請求項３７】
前記プログラム記述スキームの前記情報及び前記ユーザ記述スキームの前記情報に少なくとも一部に基づいて、動画を識別する手段をさらに備えたことを特徴とする請求項２９乃至３６のいずれか１項に記載のオーディオビジュアル装置。
【請求項３８】
前記プログラム記述スキーム内に含まれる前記情報及び前記ユーザ記述スキーム内に含まれる前記情報に基づいて、前記ユーザに好ましい動画放送を記録する記録装置をさらに備えたことを特徴とする請求項２９乃至３７のいずれか１項記載のオーディオビジュアル装置。
【請求項３９】
前記スキーム記憶手段で記憶された、前記ユーザ記述スキーム，前記システム記述スキーム及び前記プログラム記述スキームのうち、少なくとも１つの前記スキームを、第１デバイスに記録する手段と、
前記ユーザ記述スキーム，前記システム記述スキーム及び前記プログラム記述スキームのうち、少なくとも１つの前記スキームを、該スキーム内に含まれる情報を使用する第２デバイスにネットワークを通して転送する手段と、
をさらに備えたことを特徴とする請求項２９乃至３８のいずれか１項に記載のオーディオビジュアル装置。
【請求項４０】
前記スキーム記憶手段は、当該オーディオビジュアル装置から取り外し可能であることを特徴とする請求項２９乃至３９のいずれか１項に記載のオーディオビジュアル装置。
【請求項４１】
前記ユーザ記述スキームは、当該オーディオビジュアル装置から取り外し可能かつ運搬可能な外部記憶装置に記憶されることを特徴とする請求項２９乃至４０のいずれか１項に記載のオーディオビジュアル装置。
【請求項４２】
前記プログラム記述スキーム，前記ユーザ記述スキーム，前記システム記述スキームのいずれかを、ネットワークを通じて取得するネットワーク接続手段をさらに備えたことを特徴とする請求項２９乃至４１のいずれか１項に記載のオーディオビジュアル装置。
【請求項４３】
前記ユーザ記述スキームから得られるユーザ情報から得られる情報を使って、ＡＶプログラムの解析を実行するＡＶプログラム解析手段をさらに備えたことを特徴とする請求項２９乃至４２のいずれか１項に記載のオーディオビジュアル装置。
【請求項４４】
前記動画の要約の作成を補助する知識ベースシステムをさらに備え、前記ＡＶプログラム解析手段は、前記知識ベースシステムの補助を受け前記動画の要約を作成する手段を有することを特徴とする請求項４３に記載のオーディオビジュアル装置。
【請求項４５】
コマーシャルフィルタをさらに備え、前記ＡＶプログラム解析手段が前記要約を作成する段階において、前記知識ベースシステムは前記コマーシャルフィルタを利用することを特徴とする請求項４４に記載のオーディオビジュアル装置。
【請求項４６】
スローモーション検出器をさらに備え、前記ＡＶプログラム解析手段が前記要約を作成する段階において、前記知識ベースシステムはスローモーション検出器を利用することを特徴とする請求項４４又は４５に記載のオーディオビジュアル装置。
【請求項４７】
前記いずれかの記述スキームに含まれる情報に基づいて、ＡＶプログラムのフィルタリング、あるいはサーチ、あるいはブラウジングを実行するサーチ・フィルタリング・ブラウジング手段をさらに備えたことを特徴とする請求項２９乃至４６のいずれか１項に記載のオーディオビジュアル装置。
【請求項４８】
前記３つの記述スキームに基づき、ユーザが関心を持つ過去のオーディオビジュアル情報を、自主的にかつ周期的に取得し記録する手段をさらに備えたことを特徴とする請求項２９乃至４７のいずれか１項に記載のオーディオビジュアル装置。
【請求項４９】
前記ユーザ記述スキームが保持する、ユーザの好み、ユーザの使用パターン、ユーザの使用履歴のいずれかの情報を用いて、ユーザの嗜好に合ったＡＶプログラムを発見し、該発見したＡＶプログラムに関して、ユーザに通知し、自主的に記録するユーザエージェント手段をさらに備えたことを特徴とする請求項２９乃至４８のいずれか１項に記載のオーディオビジュアル装置。
【請求項５０】
前記ＡＶプログラム解析手段は、前記ＡＶプログラムをカテゴライズし、カテゴリのインデックスを表示し、かつ、前記インデックスのうち選択されているインデックスについて、該インデックスが指し示すカテゴリに属するＡＶプログラムを一覧で表示する手段を有することを特徴とする請求項４３乃至４６のいずれか１項に記載のオーディオビジュアル装置。
【請求項５１】
前記カテゴライズは、放送チャンネルに基づいて行うことを特徴とする請求項５０に記載のオーディオビジュアル装置。
【請求項５２】
前記ＡＶプログラムの一覧表示は、前記ＡＶプログラムが含む内容のテキスト表示で行うことを特徴とする請求項５０又は５１に記載のオーディオビジュアル装置。
【請求項５３】
前記ＡＶプログラム解析手段は、前記ＡＶプログラムの代表的なフレームをそれぞれのＡＶプログラムに対して抽出し、前記抽出した代表フレームの一部あるいは全部を一覧表示し、前記一覧表示されたフレームのうち選択されたフレームが属するＡＶプログラムをさらに表示するとともに、該ＡＶプログラムが含むフレームをさらに表示する手段を有することを特徴とする請求項４３乃至４６のいずれか１項に記載のオーディオビジュアル装置。
【請求項５４】
前記選択されたＡＶプログラムが含むフレームの前記表示は、該ＡＶプログラムが含む代表的なフレームを先頭にした表示であることを特徴とする請求項５３に記載のオーディオビジュアル装置。
【請求項５５】
前記ＡＶプログラム解析手段は、前記ＡＶプログラムのキーフレームをそれぞれ抽出し、前記抽出したキーフレームの一部あるいは全部を一覧表示し、前記表示したキーフレームのうち選択されたキーフレームが属するＡＶプログラムを表示するとともに、該ＡＶプログラムが含むキーフレームの一部あるいは全部を表示する手段を有することを特徴とする請求項４３乃至４６のいずれか１項に記載のオーディオビジュアル装置。
【請求項５６】
前記ＡＶプログラムの要約としてハイライトを放送する放送時間を指定し入力するハイライト放送時間指定入力手段をさらに備え、前記ＡＶプログラム解析手段は、前記入力された放送時間に基づいてハイライトを作成し、該作成したハイライトを表示する手段を有することを特徴とする請求項４３乃至４６のいずれか１項に記載のオーディオビジュアル装置。
【請求項５７】
前記ＡＶプログラム解析手段は、前記ＡＶプログラムを動画解析することでイベント情報を取得し、該取得したイベント情報の一部あるいは全部を表示し、該表示したイベント情報のうち選択されたイベント情報に基づいて、該選択されたイベント情報が属するショットを表示する手段を有することを特徴とする請求項４３乃至４６のいずれか１項に記載のオーディオビジュアル装置。
【請求項５８】
前記ＡＶプログラム解析手段は、前記ＡＶプログラムを動画解析することで動画に含まれるオブジェクトに関する情報を取得し、該取得したオブジェクト情報のうち一部あるいは全部を表示し、該表示したオブジェクト情報のうち選択されたオブジェクト情報に基づいて、該選択されたオブジェクト情報が属するショットのうちいずれかを表示し、前記選択されたオブジェクト情報が属するショットの一部あるいは全部をインデックス表示する手段を有することを特徴とする請求項４３乃至４６のいずれか１項に記載のオーディオビジュアル装置。
【請求項５９】
前記プログラム記述スキームは、異なるバージョンのハイライトに関する情報を含み、前記ＡＶプログラム解析手段は、前記プログラム記述スキームに記述された異なるバージョンのハイライトに関する情報に基づいて、前記ハイライトを作成する手段を有することを特徴とする請求項４３乃至４６のいずれか１項に記載のオーディオビジュアル装置。
【請求項６０】
前記プログラム記述スキームは、クローズアップ領域に関する情報を含み、前記ＡＶプログラム解析手段は、前記プログラム記述スキームに記述されたクローズアップ領域に関する情報に基づいて、クローズアップ映像を生成する手段を有することを特徴とする請求項４３乃至４６のいずれか１項に記載のオーディオビジュアル装置。
【請求項６１】
請求項２９乃至６０のいずれか１項に記載のオーディオビジュアル装置と、オーディオ，画像及び動画データのうちの少なくとも１つを提供するサーバ装置と、をネットワーク接続したオーディオビジュアルシステムであって、前記オーディオビジュアル装置は、ネットワークにわたって前記システム記述スキームを前記サーバ装置に提供する提供手段を有し、
前記サーバ装置は、前記提供手段で提供されたシステム記述スキームを受信し、該受信に応答し、前記システム記述スキームに従ってオーディオ，画像及び動画データのうちの前記少なくとも１つを選択する手段と、前記オーディオ，画像及び動画データのうちの前記少なくとも１つを、前記オーディオビジュアル装置又はその他のユーザのためのデバイスに提供する手段と、を有することを特徴とするオーディオビジュアルシステム。
【手続補正２】
【補正対象書類名】明細書
【補正対象項目名】０００３
【補正方法】変更
【補正の内容】
【０００３】
ＲｅＰｌａｙＴＶ及びＴｉＶｏ社は、ＶＣＲと同じようにテレビ放送を受信し、録画し、再生するハードディスクを使ったシステムを開発した。これらシステムは視聴者の見る好みに従って、プログラムできる。これらシステムはテレビガイドから入手できる情報と同様なスケジュール情報を受信するのに、テレビ回線のインターフェースを使用している。システムのプログラム及びスケジュール情報に基づき、システムは視聴者にとって潜在的な関心のあるプログラムを自動的に録画する。不幸なことに、録画されたプログラムの視聴はリニア状に行われ、かなりの時間を必要とすることがある。更に、個人の好みに対しては、同じように異なる態様で各システムをプログラムしなければならない。
フリーマン（Freeman）他による米国特許第５,８６１,８８１号は、加入者が個人用のコンテンツを受信できるようなインタラクティブなコンピュータシステムを開示している。


【手続補正３】
【補正対象書類名】明細書
【補正対象項目名】０００６
【補正方法】変更
【補正の内容】
【０００６】
【課題を解決するための手段】
本発明は、オーディオ，画像及び複数のフレームを含む動画のうちの少なくとも１つを伴うオーディオビジュアルシステムを使用するオーディオビジュアルシステムの使用方法であって、（ａ）（ｉ）前記複数のフレーム間の相互関係，前記複数のフレームのコンテンツの特徴，前記オーディオのコンテンツの特徴，前記画像のコンテンツの特徴，前記動画のコンテンツの特徴に関する情報のうちの少なくとも１つに関連する情報を含むプログラム記述スキームと、（ｉｉ）ユーザの個人的な好み，前記ユーザに関する情報，ユーザの視聴履歴のうちの少なくとも１つに関する情報を含むユーザ記述スキームと、（ｉｉｉ）利用可能な動画，利用可能なカテゴリ，利用可能なチャネル，利用可能なユーザ，利用可能な画像，前記オーディオと前記画像と前記動画のうちの前記少なくとも１つをユーザに提供するためのデバイスのケーパビリティ，前記動画と前記プログラム記述スキームと前記ユーザ記述スキームのうちの少なくとも２つの間の関係，前記オーディオと前記プログラム記述スキームと前記ユーザ記述スキームのうちの少なくとも２つの間の関係，前記画像と前記プログラム記述スキームと前記ユーザ記述スキームのうちの少なくとも２つの間の関係のうちの少なくとも１つに関する情報を含むシステム記述スキームとのうちの少なくとも１つを提供するステップと、（ｂ）前記プログラム記述スキーム，前記ユーザ記述スキーム及び前記システム記述スキームのうちの前記少なくとも１つに基づいて、動画，画像及びオーディオのコンテンツの中から、少なくとも１コンテンツ、或いはあるコンテンツ中のシーン又はフレームを選択するステップとを有することを特徴としたものである。


【手続補正４】
【補正対象書類名】明細書
【補正対象項目名】０００７
【補正方法】変更
【補正の内容】
【０００７】
本発明は、オーディオ，画像及び複数のフレームを含む動画のうちの少なくとも１つを伴うオーディオビジュアルシステムを使用するオーディオビジュアルシステムの使用方法であって、（ａ）（ｉ）前記複数のフレーム間の相互関係，前記複数のフレームのコンテンツの特徴，前記オーディオのコンテンツの特徴，前記画像のコンテンツの特徴，前記動画のコンテンツの特徴に関する情報のうちの少なくとも１つに関連する情報を含むプログラム記述スキームと、（ｉｉ）ユーザの個人的な好み，前記ユーザに関する情報，ユーザの視聴履歴のうちの少なくとも１つに関する情報を含むユーザ記述スキームと、（ｉｉｉ）利用可能な動画，利用可能なカテゴリ，利用可能なチャネル，利用可能なユーザ，利用可能な画像，前記オーディオと前記画像と前記動画のうちの前記少なくとも１つをユーザに提供するためのデバイスのケーパビリティ，前記動画と前記プログラム記述スキームと前記ユーザ記述スキームのうちの少なくとも２つの間の関係，前記オーディオと前記プログラム記述スキームと前記ユーザ記述スキームのうちの少なくとも２つの間の関係，前記画像と前記プログラム記述スキームと前記ユーザ記述スキームのうちの少なくとも２つの間の関係のうちの少なくとも１つに関する情報を含むシステム記述スキームとのうちの少なくとも２つを提供するステップと、（ｂ）前記プログラム記述スキーム，前記ユーザ記述スキーム及び前記システム記述スキームのうちの前記少なくとも２つに基づいて、動画，画像及びオーディオのコンテンツの中から、少なくとも１コンテンツ、或いはあるコンテンツ中のシーン又はフレームを選択するステップとを有することを特徴としたものである。


【手続補正５】
【補正対象書類名】明細書
【補正対象項目名】０００８
【補正方法】変更
【補正の内容】
【０００８】
さらに本発明は、前記プログラム記述スキームは、前記複数のフレームに関連したタイトル、カテゴリ、注釈、キーワード及び日付のうちの少なくとも１つを含むことを特徴としたものである。
さらに本発明は、前記プログラム記述スキームは、ビューを記録するためのフィールドを含み、（１）前記複数のフレームの間の相互関係に関する情報は前記動画のキーフレームの識別情報を含み、（２）前記複数のフレーム間の相互関係に関する情報は前記動画の少なくとも一部のハイライトを示す複数の前記フレームの識別情報を含み、（３）前記複数のフレームの間の相互関係に関する情報は１セットのフレームの識別情報を含み、各々フレームが前記動画の異なる部分を示し、（４）前記複数のフレームの間の相互関係に関する情報はショット及びシーンのうちの少なくとも１つを示す前記動画の複数のシーケンシャルフレームの識別情報を含むことを特徴としたものである。
【手続補正６】
【補正対象書類名】明細書
【補正対象項目名】０００９
【補正方法】変更
【補正の内容】
【０００９】
さらに本発明は、前記プログラム記述スキームは、前記動画の少なくとも一部のカラープロフィル，前記動画の少なくとも一部のテクスチャプロフィル，前記動画の少なくとも一部の形状プロフィル及び前記動画の少なくとも一部の動きプロフィルのうちの少なくとも１つを記録するためのフィールドを含むことを特徴としたものである。
さらに本発明は、前記プログラム記述スキームは、前記動画の通常のオーディオトラックとは別個の第２のオーディオトラックの識別番号を含むことを特徴としたものである。
【手続補正７】
【補正対象書類名】明細書
【補正対象項目名】００１０
【補正方法】変更
【補正の内容】
【００１０】
さらに本発明は、前記プログラム記述スキームは、前記動画に関連するインターネットに基づく情報を識別して保持することを特徴としたものである。
さらに本発明は、前記プログラム記述スキームは前記動画の複数のフレームのシンタックス構造を含むことを特徴としたものである。
さらに本発明は、前記プログラム記述スキームは前記動画の複数の前記フレームに関するセマンティック構造を含むことを特徴としたものである。
【手続補正８】
【補正対象書類名】明細書
【補正対象項目名】００１１
【補正方法】変更
【補正の内容】
【００１１】
さらに本発明は、動画のコンテンツ自体から前記プログラム記述スキームのための情報を抽出することを特徴としたものである。
さらに本発明は、前記プログラム記述スキームの前記情報に基づいて、ユーザが決定した時間の前記動画の要約を発生するステップを更に含むことを特徴としたものである。
さらに本発明は、（ａ）前記動画のコンテンツに基づいて、前記動画の要約及びキーフレーム情報の少なくとも１つを発生するステップと、（ｂ）前記プログラム記述スキームに、前記要約及びキーフレーム情報のうちの前記少なくとも１つを含めるステップとを更に含むことを特徴としたものである。
【手続補正９】
【補正対象書類名】明細書
【補正対象項目名】００１２
【補正方法】変更
【補正の内容】
【００１２】
さらに本発明は、前記ユーザ記述スキームは前記ユーザの視聴履歴に関連する情報を含むことを特徴としたものである。
さらに本発明は、前記ユーザに関する前記情報は地理的情報及び人口統計的情報のうちの少なくとも１つを含むことを特徴としたものである。
さらに本発明は、前記ユーザ記述スキームはユーザの個人的な好みを含むことを特徴としたものである。
【手続補正１０】
【補正対象書類名】明細書
【補正対象項目名】００１３
【補正方法】変更
【補正の内容】
【００１３】
さらに本発明は、前記ユーザ記述スキームはハンドヘルドの電子デバイス内に含まれることを特徴としたものである。
さらに本発明は、前記ユーザ記述スキームは、ラジオ放送のための予め選択した周波数及び予め選択した局のうちの、少なくとも１つを含むことを特徴としたものである。
さらに本発明は、前記システム記述スキームは、前記オーディオ，画像及び動画のうちの前記少なくとも１つを前記ユーザに提供するための前記デバイスのケーパビリティを含むことを特徴としたものである。
【手続補正１１】
【補正対象書類名】明細書
【補正対象項目名】００１４
【補正方法】変更
【補正の内容】
【００１４】
さらに本発明は、放送テレビ，ケーブルテレビ，衛星テレビ，ディジタルテレビ，インターネット放送，ワールドワイドウェブ，ディジタル動画ディスク，静止画像，ビデオカメラ，レーザーディスク，磁気媒体，コンピュータのハードドライブ，動画テープ，データサービス及びマイクロウェーブ通信のうちの少なくとも１つから前記動画を受信することを特徴としたものである。
さらに本発明は、ディジタルテレビ放送におけるＰＳＩＰ／ＤＶＢ−ＳＩ情報，特殊なディジタルテレビデータサービス，特殊なインターネットサービス，データファイル，電話回線を通したデータ及びコンピュータメモリのうちの少なくとも１つから前記プログラム記述スキームを受信することを特徴としたものである。
【手続補正１２】
【補正対象書類名】明細書
【補正対象項目名】００１５
【補正方法】変更
【補正の内容】
【００１５】
さらに本発明は、前記動画の受信に応答し、前記ユーザ記述スキーム内の情報と共に、前記動画のコンテンツの解析を実行するかを決定するステップを更に含むことを特徴としたものである。
さらに本発明は、（ａ）システム記述スキーム及びプログラム記述スキームのうちの少なくとも１つに含まれる情報を抽出するステップと、（ｂ）該抽出に基づいて、前記ユーザ記述スキームに含まれる前記情報を変更するステップとを更に含むことを特徴としたものである。
さらに本発明は、（ａ）第１のポータブルデバイスに前記ユーザ記述スキームを記録するステップと、（ｂ）前記ポータブルデバイスと各々が前記ユーザ記述スキーム内に含まれる情報を使用する複数の異なる第２デバイスとを相互接続するステップとを更に含むことを特徴としたものである。
【手続補正１３】
【補正対象書類名】明細書
【補正対象項目名】００１６
【補正方法】変更
【補正の内容】
【００１６】
さらに本発明は、前記プログラム記述スキームは、カメラに含まれ、前記オーディオビジュアルシステムは、前記ユーザ記述スキームの前記情報及び前記システム記述スキームの前記情報に少なくとも一部に基づいて、前記カメラに含まれる前記情報を変更することを特徴としたものである。
さらに本発明は、前記オーディオビジュアルシステムは、前記プログラム記述スキームの前記情報及び前記ユーザ記述スキームの前記情報に少なくとも一部に基づいて、動画を識別するためのサーチデバイスを更に備えることを特徴としたものである。
【手続補正１４】
【補正対象書類名】明細書
【補正対象項目名】００１７
【補正方法】変更
【補正の内容】
【００１７】
さらに本発明は、前記オーディオビジュアルシステムは、前記プログラム記述スキーム内に含まれる前記情報及び前記ユーザ記述スキーム内に含まれる前記情報に基づいて前記ユーザに好ましい動画放送を記録する記録装置を更に備えることを特徴としたものである。
さらに本発明は、（ａ）第１デバイスに前記ユーザ記述スキーム、前記システム記述スキーム及び前記プログラム記述スキームのうち、少なくとも１つの前記スキームを記録するステップと、（ｂ）ネットワークを通して前記ユーザ記述スキーム、前記システム記述スキーム及び前記プログラム記述スキームのうち、少なくとも１つの前記スキームを第２デバイスへ転送することをさらに含むことを特徴としたものである。
さらに本発明は、（ａ）ネットワークにわたって前記システム記述スキームをオーディオ，画像及び動画データのうちの少なくとも１つのプロバイダに提供するステップと、（ｂ）前記システム記述スキームの受信に応答し、前記プロバイダが該システム記述スキームに従ってオーディオ，画像及び動画データのうちの前記少なくとも１つを選択するステップと、（ｃ）前記オーディオ，画像及び動画データのうちの前記少なくとも１つをユーザのためのデバイスに提供するステップとを更に含むことを特徴としたものである。
【手続補正１５】
【補正対象書類名】明細書
【補正対象項目名】００１８
【補正方法】変更
【補正の内容】
【００１８】
本発明は、オーディオ，画像及び複数のフレームを含む動画のうちの少なくとも１つを伴うオーディオビジュアルシステムを使用するオーディオビジュアル装置であって、（ｉ）前記複数のフレーム間の相互関係，前記複数のフレームのコンテンツの特徴，前記オーディオのコンテンツの特徴，前記画像のコンテンツの特徴，前記動画のコンテンツの特徴に関する情報のうちの少なくとも１つに関連する情報を含むプログラム記述スキームと、（ｉｉ）ユーザの個人的な好み，前記ユーザに関する情報，ユーザの視聴履歴のうちの少なくとも１つに関する情報を含むユーザ記述スキームと、（ｉｉｉ）利用可能な動画，利用可能なカテゴリ，利用可能なチャネル，利用可能なユーザ，利用可能な画像，前記オーディオと前記画像と前記動画のうちの前記少なくとも１つをユーザに提供するためのデバイスのケーパビリティ，前記動画と前記プログラム記述スキームと前記ユーザ記述スキームのうちの少なくとも２つの間の関係，前記オーディオと前記プログラム記述スキームと前記ユーザ記述スキームのうちの少なくとも２つの間の関係，前記画像と前記プログラム記述スキームと前記ユーザ記述スキームのうちの少なくとも２つの間の関係のうちの少なくとも１つに関する情報を含むシステム記述スキームと、のうち、少なくとも一つを記憶するスキーム記憶手段と、該スキーム記憶手段によって記憶されている前記プログラム記述スキーム，前記ユーザ記述スキーム，前記システム記述スキームのうちの少なくとも１つに基づいて、動画，画像及びオーディオのコンテンツの中から、少なくとも１コンテンツ、或いはあるコンテンツ中のシーン又はフレームを選択する選択手段と、を備えたことを特徴としたものである。
【手続補正１６】
【補正対象書類名】明細書
【補正対象項目名】００１９
【補正方法】変更
【補正の内容】
【００１９】
さらに本発明は、動画のコンテンツ自体から前記プログラム記述スキームのための情報を抽出する手段を備えたことを特徴としたものである。
さらに本発明は、前記プログラム記述スキームの前記情報に基づいて、ユーザが決定した時間の前記動画の要約を発生する動画要約手段をさらに備えたことを特徴としたものである。
さらに本発明は、前記動画のコンテンツに基づいて、前記動画の要約及びキーフレーム情報の少なくとも１つを発生する手段と、前記プログラム記述スキームに、前記要約及びキーフレーム情報のうちの前記少なくとも１つを含め保持する手段と、をさらに備えたことを特徴としたものである。
【手続補正１７】
【補正対象書類名】明細書
【補正対象項目名】００２０
【補正方法】変更
【補正の内容】
【００２０】
さらに本発明は、放送テレビ，ケーブルテレビ，衛星テレビ，ディジタルテレビ，インターネット放送，ワールドワイドウェブ，ディジタル動画ディスク，静止画像，ビデオカメラ，レーザーディスク，磁気媒体，コンピュータのハードドライブ，動画テープ，データサービス及びマイクロウェーブ通信のうちの少なくとも１つから前記動画を受信する手段をさらに備えたことを特徴としたものである。
さらに本発明は、ディジタルテレビ放送におけるＰＳＩＰ／ＤＶＢ―ＳＩ情報，特殊なディジタルテレビデータサービス，特殊なインターネットサービス，データファイル，電話回線を通したデータ及びコンピュータメモリのうちの少なくとも１つから前記プログラム記述スキームを受信する手段をさらに備えたことを特徴としたものである。
さらに本発明は、前記動画の受信に応答し、前記ユーザ記述スキーム内の情報と共に、前記動画のコンテンツの解析を実行するか否かを決定する手段をさらに備えたことを特徴としたものである。
【手続補正１８】
【補正対象書類名】明細書
【補正対象項目名】００２１
【補正方法】変更
【補正の内容】
【００２１】
さらに本発明は、前記システム記述スキーム及びプログラム記述スキームのうちの少なくとも１つに含まれる情報を抽出する手段と、該抽出に基づいて、前記ユーザ記述スキームに含まれる前記情報を変更する手段と、をさらに備えたことを特徴としたものである。
さらに本発明は、前記プログラム記述スキームの前記情報及び前記ユーザ記述スキームの前記情報に少なくとも一部に基づいて、動画を識別する手段をさらに備えたことを特徴としたものである。
【手続補正１９】
【補正対象書類名】明細書
【補正対象項目名】００２２
【補正方法】変更
【補正の内容】
【００２２】
さらに本発明は、前記プログラム記述スキーム内に含まれる前記情報及び前記ユーザ記述スキーム内に含まれる前記情報に基づいて、前記ユーザに好ましい動画放送を記録する記録装置をさらに備えたことを特徴としたものである。
さらに本発明は、前記スキーム記憶手段で記憶された、前記ユーザ記述スキーム，前記システム記述スキーム及び前記プログラム記述スキームのうち、少なくとも１つの前記スキームを、第１デバイスに記録する手段と、前記ユーザ記述スキーム，前記システム記述スキーム及び前記プログラム記述スキームのうち、少なくとも１つの前記スキームを、該スキーム内に含まれる情報を使用する第２デバイスにネットワークを通して転送する手段と、をさらに備えたことを特徴としたものである。
さらに本発明は、前記スキーム記憶手段は、当該オーディオビジュアル装置から取り外し可能であることを特徴としたものである。
【手続補正２０】
【補正対象書類名】明細書
【補正対象項目名】００２３
【補正方法】変更
【補正の内容】
【００２３】
さらに本発明は、前記ユーザ記述スキームは、当該オーディオビジュアル装置から取り外し可能かつ運搬可能な外部記憶装置に記憶されることを特徴としたものである。
さらに本発明は、前記プログラム記述スキーム，前記ユーザ記述スキーム，前記システム記述スキームのいずれかを、ネットワークを通じて取得するネットワーク接続手段をさらに備えたことを特徴としたものである。
さらに本発明は、前記ユーザ記述スキームから得られるユーザ情報から得られる情報を使って、ＡＶプログラムの解析を実行するＡＶプログラム解析手段をさらに備えたことを特徴としたものである。
【手続補正２１】
【補正対象書類名】明細書
【補正対象項目名】００２４
【補正方法】変更
【補正の内容】
【００２４】
さらに本発明は、前記動画の要約の作成を補助する知識ベースシステムをさらに備え、前記ＡＶプログラム解析手段は、前記知識ベースシステムの補助を受け前記動画の要約を作成する手段を有することを特徴としたものである。
さらに本発明は、コマーシャルフィルタをさらに備え、前記ＡＶプログラム解析手段が前記要約を作成する段階において、前記知識ベースシステムは前記コマーシャルフィルタを利用することを特徴としたものである。
【手続補正２２】
【補正対象書類名】明細書
【補正対象項目名】００２５
【補正方法】変更
【補正の内容】
【００２５】
さらに本発明は、スローモーション検出器をさらに備え、前記ＡＶプログラム解析手段が前記要約を作成する段階において、前記知識ベースシステムはスローモーション検出器を利用することを特徴としたものである。
さらに本発明は、前記いずれかの記述スキームに含まれる情報に基づいて、ＡＶプログラムのフィルタリング、あるいはサーチ、あるいはブラウジングを実行するサーチ・フィルタリング・ブラウジング手段をさらに備えたことを特徴としたものである。
さらに本発明は、前記３つの記述スキームに基づき、ユーザが関心を持つ過去のオーディオビジュアル情報を、自主的にかつ周期的に取得し記録する手段をさらに備えたことを特徴としたものである。
【手続補正２３】
【補正対象書類名】明細書
【補正対象項目名】００２６
【補正方法】変更
【補正の内容】
【００２６】
さらに本発明は、前記ユーザ記述スキームが保持する、ユーザの好み、ユーザの使用パターン、ユーザの使用履歴のいずれかの情報を用いて、ユーザの嗜好に合ったＡＶプログラムを発見し、該発見したＡＶプログラムに関して、ユーザに通知し、自主的に記録するユーザエージェント手段をさらに備えたことを特徴としたものである。
さらに本発明は、前記ＡＶプログラム解析手段は、前記ＡＶプログラムをカテゴライズし、カテゴリのインデックスを表示し、かつ、前記インデックスのうち選択されているインデックスについて、該インデックスが指し示すカテゴリに属するＡＶプログラムを一覧で表示する手段を有することを特徴としたものである。
さらに本発明は、前記カテゴライズは、放送チャンネルに基づいて行うことを特徴としたものである。
【手続補正２４】
【補正対象書類名】明細書
【補正対象項目名】００２７
【補正方法】変更
【補正の内容】
【００２７】
さらに本発明は、前記ＡＶプログラムの一覧表示は、前記ＡＶプログラムが含む内容のテキスト表示で行うことを特徴としたものである。
さらに本発明は、前記ＡＶプログラム解析手段は、前記ＡＶプログラムの代表的なフレームをそれぞれのＡＶプログラムに対して抽出し、前記抽出した代表フレームの一部あるいは全部を一覧表示し、前記一覧表示されたフレームのうち選択されたフレームが属するＡＶプログラムをさらに表示するとともに、該ＡＶプログラムが含むフレームをさらに表示する手段を有することを特徴としたものである。
【手続補正２５】
【補正対象書類名】明細書
【補正対象項目名】００２８
【補正方法】変更
【補正の内容】
【００２８】
さらに本発明は、前記選択されたＡＶプログラムが含むフレームの前記表示は、該ＡＶプログラムが含む代表的なフレームを先頭にした表示であることを特徴としたものである。
さらに本発明は、前記ＡＶプログラム解析手段は、前記ＡＶプログラムのキーフレームをそれぞれ抽出し、前記抽出したキーフレームの一部あるいは全部を一覧表示し、前記表示したキーフレームのうち選択されたキーフレームが属するＡＶプログラムを表示するとともに、該ＡＶプログラムが含むキーフレームの一部あるいは全部を表示する手段を有することを特徴としたものである。
【手続補正２６】
【補正対象書類名】明細書
【補正対象項目名】００２９
【補正方法】変更
【補正の内容】
【００２９】
さらに本発明は、前記ＡＶプログラムの要約としてハイライトを放送する放送時間を指定し入力するハイライト放送時間指定入力手段をさらに備え、前記ＡＶプログラム解析手段は、前記入力された放送時間に基づいてハイライトを作成し、該作成したハイライトを表示する手段を有することを特徴としたものである。
さらに本発明は、前記ＡＶプログラム解析手段は、前記ＡＶプログラムを動画解析することでイベント情報を取得し、該取得したイベント情報の一部あるいは全部を表示し、該表示したイベント情報のうち選択されたイベント情報に基づいて、該選択されたイベント情報が属するショットを表示する手段を有することを特徴としたものである。
【手続補正２７】
【補正対象書類名】明細書
【補正対象項目名】００３０
【補正方法】変更
【補正の内容】
【００３０】
さらに本発明は、前記ＡＶプログラム解析手段は、前記ＡＶプログラムを動画解析することで動画に含まれるオブジェクトに関する情報を取得し、該取得したオブジェクト情報のうち一部あるいは全部を表示し、該表示したオブジェクト情報のうち選択されたオブジェクト情報に基づいて、該選択されたオブジェクト情報が属するショットのうちいずれかを表示し、前記選択されたオブジェクト情報が属するショットの一部あるいは全部をインデックス表示する手段を有することを特徴としたものである。
さらに本発明は、前記プログラム記述スキームは、異なるバージョンのハイライトに関する情報を含み、前記ＡＶプログラム解析手段は、前記プログラム記述スキームに記述された異なるバージョンのハイライトに関する情報に基づいて、前記ハイライトを作成する手段を有することを特徴としたものである。
さらに本発明は、前記プログラム記述スキームは、クローズアップ領域に関する情報を含み、前記ＡＶプログラム解析手段は、前記プログラム記述スキームに記述されたクローズアップ領域に関する情報に基づいて、クローズアップ映像を生成する手段を有することを特徴としたものである。
【手続補正２８】
【補正対象書類名】明細書
【補正対象項目名】００３１
【補正方法】変更
【補正の内容】
【００３１】
上述のオーディオビジュアル装置と、オーディオ，画像及び動画データのうちの少なくとも１つを提供するサーバ装置と、をネットワーク接続したオーディオビジュアルシステムであって、前記オーディオビジュアル装置は、ネットワークにわたって前記システム記述スキームを前記サーバ装置に提供する提供手段を有し、前記サーバ装置は、前記提供手段で提供されたシステム記述スキームを受信し、該受信に応答し、前記システム記述スキームに従ってオーディオ，画像及び動画データのうちの前記少なくとも１つを選択する手段と、前記オーディオ，画像及び動画データのうちの前記少なくとも１つを、前記オーディオビジュアル装置又はその他のユーザのためのデバイスに提供する手段と、を有することを特徴としたものである。
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００４７
【補正方法】変更
【補正の内容】
【００４７】
更に、ユーザ記述スキーム２０は、例えばハンドヘルドの電子デバイスやスマートカードで、あるいは多数の装置を接続するネットワークを通してトランスポートされることで、ユーザがある装置から別の装置へ持ち運ぶことができるように、モジュラ式で、かつポータブルである。このユーザ記述スキーム２０は異なる製品の間で標準化されれば、ユーザの好みもポータブルとなる。例えば、ユーザはホテルの部屋内のテレビ受像機をパーソナル化でき、よってユーザは任意の時間及び任意の場所で好きな情報にアクセスすることが可能である。ある意味でこのユーザ記述スキーム２０は、永続的であり、時間をベースとしないものである。更に、プログラム記述スキーム１８内の選択された情報は暗号化が可能である。その理由は、この情報の少なくとも一部はプライベート（すなわち人口統計学的）なものとみなすことができるからである。ユーザ記述スキーム２０はオーディオビジュアルプログラム放送と関連づけでき、受信機の特定のユーザの記述スキーム２０と比較し、プログラムが意図する視聴者のプロフィルが、ユーザのプロフィルと一致するかどうかを容易に判断できる。本発明の実施形態のうちの１つは、単にユーザ記述スキーム２０のみが含まれるものであると理解すべきである。


【手続補正３２】
【補正対象書類名】明細書
【補正対象項目名】００５２
【補正方法】変更
【補正の内容】
【００５２】
特定のプログラムのプログラム記述スキーム１８及びビューシステムのシステム記述スキーム２２を利用して、ビューシステムに適当なビューを提供できる。従って、プログラムのサーバは特定のビューシステムのケーパビリティに従って適当なビューを提供し、このビューはサーバとユーザのビュー装置とを接続するネットワーク又は通信チャネルを通して通信できる。コンテンツプロバイダはコンテンツ及び記述スキームを別のスタイル，時間，フォーマットでパッケージし直すので、システム記述スキーム２２と別個のプログラム記述スキーム１８を維持することが好ましい。更に、プログラムが別の時間にディスプレイされる場合でも、プログラム記述スキーム１８とプログラムとを関連させることが好ましい。従って、システム記述スキーム２２及びプログラム記述スキーム１８しか含まないシステムも有利である。